(57)【要約】【課題】  ユーザの視対象に応じて照明光を調整できる照明装置を提供する。【解決手段】  照明装置は、光の仕様が調整可能な照明部１と、ユーザの視対象となっている文字のサイズを判定する文字サイズ判定部２１と、文字サイズ判定部２１により判定された文字サイズに基づいて照明部１から出力される光の仕様を変化させる光仕様判定部２２及び調光／調色制御部２３とを備える。例えば、文字サイズ判定部２１によって判定した文字サイズをユーザの視角に変換し、当該ユーザの視角を必要な視力に変換し、当該必要な視力を紙面輝度に変換し、当該紙面輝度となるよう光の仕様を変化させる。【選択図】      図１
2014086311.tif 000002
【特許請求の範囲】
【請求項１】
光の仕様が調整可能な光照射部と、
ユーザの視対象となっている文字のサイズを判定する文字サイズ判定部と、
前記文字サイズ判定部により判定された文字サイズに基づいて前記光照射部から出力される光の仕様を変化させる制御部と
を備えたことを特徴とする照明装置。
【請求項２】
前記視対象がカラー又はモノクロかを判定するカラー／モノクロ判定部を有し、
前記制御部は、前記カラー／モノクロ判定部により判定された結果に応じて前記光照射部から出力される光の仕様を変化させること
を特徴とする請求項１に記載の照明装置。
【請求項３】
ユーザの視対象を含む範囲を表す視対象範囲を判定する視対象範囲判定部を有し、
前記制御部は、前記視対象範囲判定部により判定された範囲に、前記光照射部から出力される光の仕様を変化させること
を特徴とする請求項１に記載の照明装置。
【請求項４】
視対象を撮影した画像を用いて、視対象となっている文字のサイズ、視対象がカラー又はモノクロであるか、視対象の範囲を自動で判定する自動判定部を備え、
前記制御部は、前記自動判定部により判定された文字のサイズ、視対象がカラー又はモノクロであるか、視対象の範囲に基づいて前記光照射部から出力される光の仕様を変化させること
を特徴とする請求項１乃至請求項３の何れか一項に記載の照明装置。
【請求項５】
ユーザ情報を入力するユーザ情報入力部を有し、
前記制御部は、前記ユーザ情報入力部により入力されたユーザ情報に応じて前記光照射部から出力される光の仕様を変化させること
を特徴とする請求項１乃至請求項４の何れか一項に記載の照明装置。
【発明の詳細な説明】
【技術分野】
【０００１】
本発明は、光を発する照明装置に関する。
【背景技術】
【０００２】
書物を読むときなどに照明灯の光量を自動的に制御する技術として、下記の特許文献１に記載されたものが知られている。
【先行技術文献】
【特許文献】
【０００３】
【特許文献１】実開平７−２７０９３号公報
【発明の概要】
【発明が解決しようとする課題】
【０００４】
しかしながら、特許文献１に記載された技術では、ユーザの視対象に応じて最適な光で照明をしているとはいえなかった。
【０００５】
そこで、本発明は、上述した実情に鑑みて提案されたものであり、ユーザの視対象に応じて照明光を調整できる照明装置を提供することを目的とする。
【課題を解決するための手段】
【０００６】
本発明の第１の態様に係る照明装置は、光の仕様が調整可能な光照射部と、ユーザの視対象となっている文字のサイズを判定する文字サイズ判定部と、前記文字サイズ判定部により判定された文字サイズに基づいて前記光照射部から出力される光の仕様を変化させる制御部とを備えることを特徴とする。
【０００７】
本発明の第２の態様に係る照明装置は、上記第１の態様の照明装置であって、前記視対象がカラー又はモノクロかを判定するカラー／モノクロ判定部を有し、前記制御部は、前記カラー／モノクロ判定部により判定された結果に応じて前記光照射部から出力される光の仕様を変化させることを特徴とする。
【０００８】
本発明の第３の態様に係る照明装置は、上記第１の態様の照明装置であって、ユーザの視対象を含む範囲を表す視対象範囲を判定する視対象範囲判定部を有し、前記制御部は、前記視対象範囲判定部により判定された範囲に、前記光照射部から出力される光の仕様を変化させることを特徴とする。
【０００９】
本発明の第４の態様に係る照明装置は、上記第１乃至第３の何れかの態様の照明装置であって、視対象を撮影した画像を用いて、視対象となっている文字のサイズ、視対象がカラー又はモノクロであるか、視対象の範囲を自動で判定する自動判定部を備え、前記制御部は、前記自動判定部により判定された文字のサイズ、視対象がカラー又はモノクロであるか、視対象の範囲に基づいて前記光照射部から出力される光の仕様を変化させることを特徴とする。
【００１０】
本発明の第５の態様に係る照明装置は、上記第１乃至第４の何れかの態様の照明装置であって、ユーザ情報を入力するユーザ情報入力部を有し、前記制御部は、前記ユーザ情報入力部により入力されたユーザ情報に応じて前記光照射部から出力される光の仕様を変化させることを特徴とする。
【発明の効果】
【００１１】
本発明によれば、光照射部から照明を実施したときに文字サイズに応じた仕様の照明光を照射できるので、ユーザが読むことを希望する文字によって光照射部から照射する光の仕様を切り替えることができ、ユーザの視対象に応じて照明光を調整できる。
【図面の簡単な説明】
【００１２】
【図１】本発明の実施形態として示す照明装置の構成を示すブロック図である。
【図２】本発明の実施形態として示す照明装置における視力と輝度との関係を示す図である。
【図３】本発明の実施形態として示す照明装置における動作を示すフローチャートである。
【図４】本発明の実施形態として示す照明装置における他の構成を示すブロック図である。
【図５】本発明の実施形態として示す照明装置における他の動作を示すフローチャートである。
【図６】本発明の実施形態として示す照明装置における他の構成を示すブロック図である。
【図７】本発明の実施形態として示す照明装置における他の動作を示すフローチャートである。
【図８】本発明の実施形態として示す照明装置における他の構成を示すブロック図である。
【図９】本発明の実施形態として示す照明装置における他の動作を示すフローチャートである。
【図１０】本発明の実施形態として示す照明装置における他の構成を示すブロック図である。
【図１１】本発明の実施形態として示す照明装置における他の動作を示すフローチャートである。
【発明を実施するための形態】
【００１３】
以下、本発明の実施の形態について図面を参照して説明する。
【００１４】
本発明の実施形態として示す照明装置は、例えば図１に示すように構成されている。この照明装置は、照明部１と照明制御部２とを含む。
【００１５】
照明部１は、光の仕様が調整可能な光照射部である。照明部１は、ＬＥＤ等の照明光を照射する光源を含む。照明部１は、調光及び調色が可能な構成を有している。照明部１は、複数の光源で構成されていてもよく、単一の光源で構成されていてもよい。
【００１６】
照明制御部２は、照明部１の動作を制御する制御部である。照明制御部２は、文字サイズ判定部２１、光仕様判定部２２、及び、調光／調色制御部２３を含む。
【００１７】
文字サイズ判定部２１は、ユーザの視対象となっている文字のサイズを判定する。文字サイズ判定部２１は、ユーザが入力した文字サイズを数字で受け付ける構成であってもよく、複数の段階からユーザが選択した文字サイズを受け付ける構成であってもよい。また、文字サイズ判定部２１としては、目的選択部２１ａによって目的が選択された場合に、視対象としての文字サイズを判定してもよい。例えば、ボタン等によって目的選択部２１ａが構成され、新聞を読むという目的がボタンによって選択された場合、文字サイズ判定部２１は、文字サイズを２．８ポイントと判定できる。更に、雑誌を読む場合には反射が少なくなるよう光の仕様を変化させてもよい。
【００１８】
光仕様判定部２２は、文字サイズ判定部２１により判定された文字サイズに応じて、照明部１から照射する光の仕様を判定する。この光仕様判定部２２は、ユーザが見ている文字サイズに合わせて最適な光の仕様を判定する。光仕様判定部２２は、文字サイズ判定部２１により判定された文字サイズを視力に変換する。光仕様判定部２２は、当該変換した視力を照明部１から照射する光の輝度に変換する。
【００１９】
光仕様判定部２２は、例えば下記の式１に従って、文字サイズを視力に変換する。
【００２０】
視力＝Ｌｏｇ１０［ｘの高さの視角／５［分］］
この式において、ｘは文字サイズである。また、分は視角の最小単位であり、１／６０度である。光仕様判定部２２は、文字サイズ判定部２１によってｘとしての文字サイズが入力されると、当該文字サイズを読むために必要な視角を求める。光仕様判定部２２は、上記式によって、当該視角に対応した視力に換算する。光仕様判定部２２は、換算された視力を照明光によって照射される紙面輝度に換算する。このとき、光仕様判定部２２は、図２に示すような既知の視力と紙面輝度との対応関係を表すテーブルデータを参照する。このテーブルデータは、例えば、視力の０．１〜２．０を、視対象が描かれた紙面輝度の１０−２〜１０３［Ｃｄ／ｍ２］に変換するためのデータである。例えば、１．０の視力を、３．２［Ｃｄ／ｍ２］の紙面輝度に変換する。このテーブルデータは、例えば既存の“明るさと視力（あたらしい明視論、照明学会、１９６６年、４６頁）”に記載された視力と紙面輝度との関係を使用することができる。
【００２１】
例えば、文字サイズ判定部２１によって新聞の文字サイズとして“小”が選択された場合、新聞の文字サイズは２．８ポイントなので、光仕様判定部２２は、１．０の視力を要する文字を見ようとしていると判定する。そして、光仕様判定部２２は、必要な紙面輝度（照度に準じる）を３．２［Ｃｄ／ｍ２］と判定する。これにより、調光／調色制御部２３は、紙面輝度が、３．２［Ｃｄ／ｍ２］以上になるように照明部１を制御する。
【００２２】
調光／調色制御部２３は、文字サイズ判定部２１により設定された文字サイズに従って、照明部１から出力される光の仕様を変化させるよう照明部１を駆動する。このとき、調光／調色制御部２３は、単一の照明部１の光量を増減させるよう調光してもよい。また、調光／調色制御部２３は、複数の照明部１の光量を増減させるよう調光してもよい。更に、調光／調色制御部２３は、複数の照明部１のうち点灯する照明部１の数を調整して照明部１全体の光量を調整してもよい。
【００２３】
なお、光仕様判定部２２は、ユーザの視点位置と視対象との距離に応じて光の輝度を調整して、ユーザから視対象が最適な状態で読めるようにする。光仕様判定部２２は、ユーザの視点位置と視対象との距離を、所定距離に設定しておいてもよく、任意に設定可能にしてもよい。この所定距離は例えば３０ｃｍである。また、光仕様判定部２２は、ユーザの好み（明るめ、暗め）に応じて、照明部１から照射する光を調光してもよい。
【００２４】
以上のように、この照明装置によれば、その使用時に、図３に示すように、文字サイズが入力される（ステップＳ１）。すると、光仕様判定部２２は、照明部１から照射する照明光の仕様を演算する（ステップＳ２）。これにより、照明装置は、照明部１から照明を実施したときに文字サイズに応じた仕様の照明光を照射できる（ステップＳ３）。したがって、照明装置は、ユーザが読むことを希望する文字（視対象）によって照明部１から照射する光の仕様を切り替えることができ、ユーザの視対象に応じて照明光を調整できる。例えば、新聞という小さい文字を読む場合には、コントラストが高くなるように、背景が白くみえるよう光の仕様を変化させることができる。
【００２５】
具体的には、照明装置は、文字サイズ判定部２１によって判定した文字サイズをユーザの視角に変換し、当該ユーザの視角を必要な視力に変換し、当該必要な視力を紙面輝度に変換し、当該紙面輝度となるよう光の仕様を変化させる。これにより、照明装置は、視対象としての文字のサイズによって最適な照明光となるよう調整できる。したがって、この照明装置によれば、視対象に応じてユーザが光の仕様を調整するという煩雑な手間を抑制できる。
【００２６】
上述した照明装置は、図４に示すように、カラー／モノクロ選択部（カラー／モノクロ判定部）２４を備えていてもよい。このカラー／モノクロ選択部２４は、視対象がカラー又はモノクロかを選択するボタン等よって構成され、カラーかモノクロを判定する。光仕様判定部２２は、カラー／モノクロ選択部２４により判定された結果に応じて照明部１から出力される光の仕様を変化させる。
【００２７】
光仕様判定部２２は、カラー／モノクロ選択部２４によりカラーが選択された場合には視対象の色の見え方の良い又は悪いを表す数値としての演色性（Ｒａ）を高くするよう光の仕様を変化させる。これにより、文字といった視対象を含む色を鮮やかに見せることができる。光仕様判定部２２は、カラー／モノクロ選択部２４によりモノクロが選択された場合には視対象のコントラストを高くするよう光の仕様を変化させる。これにより、文字といった視対象をくっきりと読めるようにする。このように、調光／調色制御部２３は、視対象がカラーかモノクロかに応じて設定された光の仕様を実現するよう照明部１を調光及び調色する。
【００２８】
以上のように、この照明装置によれば、その使用時に、図５に示すように、文字サイズが入力されると共に(ステップＳ１)、カラーかモノクロかが入力される（ステップＳ４）。すると、光仕様判定部２２は、照明部１から照射する照明光の仕様を演算する（ステップＳ２）。これにより、照明装置は、照明部１から照明を実施したときに文字サイズのみならず、カラーかモノクロかに応じた仕様の照明光を照射できる（ステップＳ３）。したがって、照明装置は、ユーザが読むことを希望する文字のサイズのみならず、カラーかモノクロかによって照明部１から照射する光の仕様を切り替えることができ、ユーザの視対象に応じて照明光を調整できる。
【００２９】
なお、照明制御部２は、雑誌等の視対象が描かれた紙質によって照明光の反射が高い場合には、図示しない反射ボタンを押すことによって照明部１の配光方向を変化させてもよい。これにより、反射が高い箇所を移動させることができる。更に、ユーザによって任意の色が選択された場合には、当該色の見分けをしやすくするよう光の仕様を変化させてもよい。この色を選択する構成は、リモコンなどにカラーパレットを搭載すればよい。他の色を選択する構成は、ユーザが指を指した位置を撮影して色を読みとってもよい。
【００３０】
更に、上述した照明装置は、図６に示すように、ユーザの視対象となっている文字を含む範囲を表す視対象範囲（視対象サイズ）を判定する視対象サイズ指定部（視対象範囲判定部）２５を有していてもよい。視対象サイズ指定部２５は、照明部１によって照射される中心位置からの範囲を指定する操作部によって実現してもよい。また、視対象サイズ指定部２５は、視対象のサイズとして、新聞、雑誌（Ａ４サイズ）、文庫本などを指定する構成であってもよい。
【００３１】
光仕様判定部２２は、視対象サイズ指定部２５により判定された範囲に応じて照明部１から出力される光の仕様を変化させる。このとき、光仕様判定部２２は、視対象サイズ指定部２５により判定された範囲に照射される光の仕様を均一となるよう調整する。すなわち、光仕様判定部２２は、光の仕様として照明部１から照射する光の広がりを変化させる。また、光仕様判定部２２は、視対象サイズ指定部２５によって判定された範囲の紙面輝度を、文字サイズ判定部２１によって判定された文字サイズに応じた値とする。
【００３２】
以上のように、この照明装置によれば、その使用時に、図７に示すように、文字サイズが入力されると共に(ステップＳ１)、カラーかモノクロかが入力され（ステップＳ４）、更に、視対象サイズが入力される（ステップＳ５）。すると、光仕様判定部２２は、照明部１から照射する照明光の仕様を演算する（ステップＳ２）。これにより、照明装置は、照明部１から照明を実施したときに文字サイズによって照明光による紙面輝度を調整する。また、光仕様判定部２２は、カラーかモノクロによって、コントラストや演色性を調整する。更に、調光／調色制御部２３は、視対象サイズに応じて、当該視対象サイズ内において光の仕様を均一にするよう照明部１を制御する。（ステップＳ３）。したがって、照明装置は、ユーザが読むことを希望する文字のみならず、カラーかモノクロかによって照明部１から照射する光の仕様を切り替え、更に、視対象サイズ内で光の仕様を均一にできる。
【００３３】
なお、ユーザと視対象との距離がプリセットされた所定距離と一致しないと、指定した視対象サイズに適切な光量の光が照射されない。また、照明部１の位置と紙面位置との距離がプリセットされた距離と一致しないと、視対象サイズに均一な光が照射されない。このため、視対象サイズ指定部２５は調整ボタンによって照明光の光量、照明光が照射される範囲を調整できるようにしてもよい。この調整ボタンは、光量、範囲を拡張する（＋）と、光量、範囲を縮小する（−）とが選択できる。調整ボタンによって調整された場合、光仕様判定部２２は、当該範囲で光の仕様を均一にするよう調光／調色制御部２３によって照明部１を駆動させる。
【００３４】
また、絵本などの一般的でないサイズの視対象については、調整ボタンによって調整し、調整後の視対象サイズをサイズ登録ボタンによって登録可能としてもよい。更に、視対象として机一面などの広範囲を指定したい場合は、視対象サイズの調整ボタンによって、調整することもできる。
【００３５】
更に、照明装置は、図８に示すように、視対象撮影部３が接続されていてもよい。視対象撮影部３は、照明部１による照明光の照射範囲を撮像するような画角となっている。照明制御部２は、視対象撮影部３によって撮影された画像データを入力する。文字サイズ判定部２１は、視対象を撮影した画像を用いて、視対象となっている文字のサイズ、視対象がカラー又はモノクロであるか、視対象の範囲を自動で判定する（自動判定部）。なお、文字サイズ判定部２１は、少なくとも文字サイズを判定すればよい。光仕様判定部２２は、自動判定された文字のサイズ、視対象がカラー又はモノクロであるか、視対象の範囲に基づいて照明部１から出力される光の仕様を変化させる。調光／調色制御部２３は、光仕様判定部２２によって判定された光の仕様となるよう照明部１を駆動する。
【００３６】
以上のように、この照明装置によれば、その使用時に、図９に示すように、先ず視対象撮影部３によって撮影を行って画像を入力する（ステップＳ６）。照明制御部２は、撮影した画像データを参照して、文字サイズの判定(ステップＳ１’)、カラーかモノクロかの判定（ステップＳ４’）、視対象サイズの判定（ステップＳ５’）を行う。その後、照明装置は、照明部１から照射する照明光の仕様を演算する（ステップＳ２）。これにより、照明装置は、照明部１から照明を実施したときに文字サイズによって照明光による紙面輝度を調整する。また、照明装置は、カラーかモノクロによって、コントラストや演色性を調整する。更に、照明装置は、視対象サイズに応じて、当該視対象サイズ内において光の仕様を均一にする。（ステップＳ３）。したがって、照明装置は、自動的に、ユーザが読むことを希望する文字のみならず、カラーかモノクロかによって照明部１から照射する光の仕様を切り替え、更に、視対象サイズ内で光の仕様を均一にできる。
【００３７】
また、この照明装置によれば、視対象撮影部３によって撮影した画像を所定期間ごとに参照し、視対象としての文字サイズ、カラーかモノクロか、視対象サイズを更新してもよい。これにより、照明装置は、更新した文字サイズ、カラーかモノクロか、視対象サイズに応じて照明部１から照射する光の仕様を更新できる。
【００３８】
なお、照明制御部２は、視対象撮影部３によって撮影された画像データを参照して、視対象とユーザとの位置関係を計測してもよい。照明制御部２は、計測した位置関係に応じて、光仕様判定部２２によって判定した光の仕様を実現するよう、照明部１から照射する照明光を調整する。例えば、プリセットされた所定距離よりもユーザと視対象との距離が長い場合には、文字サイズに応じた紙面輝度を実現するよう照明光の強度を高くする。逆に、ユーザの視点位置と視対象との距離が近すぎる場合には、音声や点灯方法を変化させて注意を促すことができる。
【００３９】
また、照明制御部２は、画像データを参照して、視対象としての書物の状態を判定してもよい。例えば、書物が開かれた状態を判定して、視点位置と視対象との距離、文字サイズ、カラーかモノクロか、視対象サイズなどを判定してもよい。
【００４０】
更に、照明装置は、図１０に示すように、ユーザ情報を入力するユーザ情報入力部２６を有していてもよい。ユーザ情報入力部２６は、ユーザ情報を選択するボタン等の操作部であってもよい。ユーザ情報入力部２６は、操作に応じてユーザの年齢や疾患を判定する。また、ユーザ情報入力部２６は視対象撮影部３の画像データによってユーザ個人や年齢を識別してもよい。照明制御部２は、ユーザ情報入力部２６により入力されたユーザ情報に応じて照明部１から出力される光の仕様を変化させる。
【００４１】
光仕様判定部２２は、ユーザ情報としてのユーザが高齢である場合、文字サイズに応じて判定した光の仕様を変更して、照明部１の光量を多くする。高齢者の場合、例えば通常者よりも２倍の光量とする。また、ユーザが老眼であることを想定し、年齢に応じて視対象と視点位置との距離を自動的に更新して光の仕様を変化させてもよい。更に、ユーザ情報として白内障の疾患がある場合、文字サイズに応じた光の仕様を変更して照明光の色温度を下げて光量を保つようにしてもよい。これは、白内障では、高い色温度の照明光を視対象に照射すると照明光が拡散して視対象が見えにくくなることを考慮するためである。
【００４２】
以上のように、この照明装置によれば、その使用時に、図１１に示すように、先ず視対象撮影部３によって撮影を行って画像を入力する（ステップＳ６）。照明制御部２は、撮影した画像データを参照して、文字サイズの判定(ステップＳ１’)、カラーかモノクロかの判定（ステップＳ４’）、視対象サイズの判定（ステップＳ５’）を行う。更に、照明制御部２は、自動又は手動によってユーザ情報を入力する（ステップＳ７）。その後、光仕様判定部２２は、照明部１から照射する照明光の仕様を演算し、ユーザ情報によって光の仕様を補正する（ステップＳ２）。
【００４３】
したがって、照明装置は、自動的に、ユーザが読むことを希望する文字のみならず、カラーかモノクロかによって照明部１から照射する光の仕様を切り替え、更に、視対象サイズ内で光の仕様を均一にできる。これに加え、照明装置は、ユーザ情報に応じて、ユーザに合わせて光の仕様を変化させることができる。
【００４４】
なお、上述の実施の形態は本発明の一例である。このため、本発明は、上述の実施形態に限定されることはなく、この実施の形態以外であっても、本発明に係る技術的思想を逸脱しない範囲であれば、設計等に応じて種々の変更が可能であることは勿論である。
【符号の説明】
【００４５】
１  照明部
２  照明制御部
３  視対象撮影部
２１  文字サイズ判定部
２２  光仕様判定部
２３  調光／調色制御部
２４  カラー／モノクロ選択部
２５  視対象サイズ指定部
２６  ユーザ情報入力部
【図１】
2014086311.tif 000003
【図２】
2014086311.tif 000004
【図３】
2014086311.tif 000005
【図４】
2014086311.tif 000006
【図５】
2014086311.tif 000007
【図６】
2014086311.tif 000008
【図７】
2014086311.tif 000009
【図８】
2014086311.tif 000010
【図９】
2014086311.tif 000011
【図１０】
2014086311.tif 000012
【図１１】
2014086311.tif 000013